(57)【要約】【課題】電子メールの送受信等を行うことのできる電子メール通信装置において、受取人に合わせ見やすくして正確に情報を伝達できる電子メール通信装置を提供する。【解決手段】ＦＡＸ等の電子メール通信装置において、受信した電子メールから差出人、受取人情報を参照し、受取人に合わせて読みやすいように、字体、文字の大きさ、平仮名への変換や色使い等を考慮してテキストを編集して出力する。【選択図】　　　　図１
2004139404.tif 000002
【特許請求の範囲】
【請求項１】
通信回線と接続する接続手段と、
前記接続手段から電子メールを受信する受信手段と、
前記電子メールの差出人情報を識別する発信元識別手段と、
前記電子メールの受取人情報を識別する宛先識別手段と、
差出人毎に対応して出力条件が記憶された出力条件記憶手段と、
受取人毎に対応して出力条件が記憶された出力条件記憶手段と、
前記受信手段で受信した電子メールを編集する編集手段と、
前記編集手段によって変換されたテキストを出力するテキスト出力手段と、
前記受信手段によって電子メールが受信されたときに、前記出力条件記憶手段から前記発信元識別手段によって識別された差出人に対応した出力条件と前記出力条件記憶手段から前記宛先識別手段によって識別された受取人に対応した出力条件を選択し、前記編集手段で変換された電子メールを前記テキスト出力手段によって出力するように制御する制御手段を有することを特徴とする電子メール通信装置。
【請求項２】
請求項１に記載の電子メール通信装置において、
前記編集手段は前記受信した電子メールの本文を編集することを特徴とする電子メール通信装置。
【請求項３】
請求項１に記載の電子メール通信装置において、
前記編集手段は前記受信した電子メールの差出人情報および／あるいは受取人情報を編集することを特徴とする電子メール通信装置。
【発明の詳細な説明】
【０００１】
【発明の属する技術分野】
本発明は、通信回線から電子メールを受信し、解析して差出人情報、受取人情報に応じて編集し出力する電子メール通信装置に関するものである。
【０００２】
【従来の技術】
近年のインターネットの急速な普及に伴い、電子メールが通信手段として重要な位置を占め、企業内での利用だけにとどまらず家庭においても普及し、電話機やファクシミリなどにおいて利用可能になってきている。
【０００３】
そして受信された電子メールは、特定の一種類の字体で表示・出力されている。
【０００４】
ところで、下記の特許文献１に開示されている通信端末装置においては電子メールの差出人情報と本文において引用文か否かを判断し、文字の大きさ、字体を変更して印字をするということを実現している。
【０００５】
【特許文献１】
特開平１０−９３６１８号公報
【０００６】
【発明が解決しようとする課題】
しかしながら、従来の通信端末装置では、子供や高齢者といったメールの受取人を対象として考慮したシステムではなく、メールを受け取って表示・印刷をさせても受取人に対して見やすくして正確に情報を伝えることができないという問題があった。
【０００７】
本発明は上記問題点に着目してなされたものであって、受取人に合わせ見やすくして正確に情報を伝達できる電子メール通信装置の提供を目的としている。
【０００８】
【課題を解決するための手段】
本発明は、上記課題を解決するために以下（１）〜（３）の構成を備えるものである。
【０００９】
（１）通信回線と接続する接続手段と、
前記接続手段から電子メールを受信する受信手段と、
前記電子メールの差出人情報を識別する発信元識別手段と、
前記電子メールの受取人情報を識別する宛先識別手段と、
差出人毎に対応して出力条件が記憶された出力条件記憶手段と、
受取人毎に対応して出力条件が記憶された出力条件記憶手段と、
前記受信手段で受信した電子メールを編集する編集手段と、
前記編集手段によって変換されたテキストを出力するテキスト出力手段と、
前記受信手段によって電子メールが受信されたときに、前記出力条件記憶手段から前記発信元識別手段によって識別された差出人に対応した出力条件と前記出力条件記憶手段から前記宛先識別手段によって識別された受取人に対応した出力条件を選択し、前記編集手段で変換された電子メールを前記テキスト出力手段によって出力するように制御する制御手段を有する電子メール通信装置。
【００１０】
（２）上記（１）に記載の電子メール通信装置において、
前記編集手段は前記受信した電子メールの本文を編集する電子メール通信装置。
【００１１】
（３）上記（１）に記載の電子メール通信装置において、
前記編集手段は前記受信した電子メールの差出人情報および／あるいは受取人情報を編集する電子メール通信装置。
【００１２】
【発明の実施の形態】
以下、本発明にかかる一実施形態の通信装置について説明する。
【００１３】
図１は本発明を実施する通信装置の接続されるシステム構成図である。
【００１４】
同図において、１０１はコンピュータ、１０２はファクシミリ、１０３は携帯電話、１０４はファクシミリである。
【００１５】
図２は本発明を実施するファクシミリ１０４の内部構成図である。同図において、２０２は回線インターフェイス部であり、ＣＰＵ２０４の制御により公衆通信回線２０１との間での発信・着信制御を行う。
【００１６】
２０３はモデムであり、データの送受信を行う。データ受信時には、受信したモデム信号はモデム２０３において復調され、データバスを経由してＲＡＭ２０５に転送され記憶される。ＲＡＭ２０５では受信した電子メール、アドレス帳が格納される。
【００１７】
ＣＰＵ２０４では、ＲＯＭ２０６に格納されたプログラムに従ってファクシミリ１０４の全体の制御を行うほか、電子メールの差出人を識別したり電子メールの受取人を識別する。またＲＡＭ２０５では出力条件を記憶したデータベースを格納している。ＲＯＭ２０６は漢字を平仮名に変換するといった辞書機能を持っている。２０７は本発明の中心となるテキスト編集部であり、差出人情報、受取人情報に基づいて電子メールを編集する。編集されたテキストはＣＰＵ２０４によって制御され、２１１の液晶表示部にて表示、２１０のカラープリンタにて出力を行う。２０９はセントロニクスインターフェイスであり、印刷する画像データを内蔵するカラープリンタ２１０へ転送するパラレル通信インターフェイスである。２１２のキー操作部にて自由に字体、文字の大きさ、平仮名への変換や色使い等といった設定登録を行うことが出来る。２０８の音声出力部（スピーカ）、２１３は画像読取部である。
【００１８】
図３は本発明を実施した通信装置での実施例である。同図において、差出人が母であり、受取人がそれぞれ父、子供、祖父と異なっていた場合、父、子供、祖父の編集条件はそれぞれ異なるので表示・印刷結果はそれぞれ異なってくる。受取人が父であるとき、差出人情報から母からのメールは優先度が高いということで赤色表示をする。受取人が幼い子供であるとき、受取人情報から漢字は平仮名に変換され、字体はゴシック体、文字は青色表示と編集する。また受取人が祖父であるとき、受取人情報から文字の大きさを大きくして、字体は明朝体といったように表示をする。このように受取人に合わせて、受取人が読み易いように、受取人情報から字体、文字の大きさ、平仮名への変換等を選択し、差出人情報から色使い等を考慮してテキストを編集して出力する。
【００１９】
図４は電子メール受信時の動作フローチャートである。
【００２０】
以下、ＦＡＸ１０４のＣＰＵ２０４が電子メールを受信する場合の動作について説明を行う。
【００２１】
なお、ここではコンピュータ１０１から送信されたファクシミリ１０４宛の電子メールを受信するものと仮定して説明する。ファクシミリ１０４は通信回線２０１を通して電子メールを受信すると（Ｓ３０１）、受信した電子メールはＲＡＭ２０５内のメール情報記憶部に記憶される（Ｓ３０２）。次に制御部（ＣＰＵ）２０４はＲＡＭ２０５内のメール情報記憶部に記憶されている差出人情報「ａａａ＠ｘｘｘ．ｃａｎｏｎ．ｃｏ．ｊｐ」を抽出し（Ｓ３０３）、ＲＡＭ２０５内のアドレス帳を参照し、前記抽出したメールアドレス「ａａａ＠ｘｘｘ．ｃａｎｏｎ．ｃｏ．ｊｐ」に対応付けて登録されているか否かを判定する（Ｓ３０４）。ここでは「ａａａ＠ｘｘｘ．ｃａｎｏｎ．ｃｏ．ｊｐ」が登録されているとする。登録されていた「ａａａ＠ｘｘｘ．ｃａｎｏｎ．ｃｏ．ｊｐ」即ち差出人をＲＡＭ２０５内のデータベースを参照し設定してある文字色を選択する（Ｓ３０５）。なおＲＡＭ２０５内のデータベースには各人に対応した設定色が納められている。そのため重要な人からの電子メールは注意を引くことができるようになる。次に制御部２０４はＲＡＭ２０５内のメール情報記憶部に記憶されている受取人情報「ｄｄｄ＠ｘｘｘ．ｃａｎｏｎ．ｃｏ．ｊｐ」を抽出し（Ｓ３０６）、ＲＡＭ２０５内のアドレス帳を参照し、前記抽出したメールアドレス「ｄｄｄ＠ｘｘｘ．ｃａｎｏｎ．ｃｏ．ｊｐ」に対応付けて登録されているか否かを判定する（Ｓ３０７）。登録されていた場合、あらかじめ設定してある条件、たとえば文字の大きい小さいといった大きさや、明朝体、ゴシック体といった字体、平仮名への変換といった設定値を呼び出し（Ｓ３０８）、前記選択した文字色と設定条件を組み合わせてテキスト編集部２０７にて編集し（Ｓ３０９）、液晶表示部２１１を通してメール本文を表示し（Ｓ３１０）、またカラープリンタ２１０を通して印刷をする（Ｓ３１１）。
【００２２】
なお、出力手段としては、液晶表示・カラープリンタの他に既知の技術として記憶メディアにて出力するといった方法がある。
【００２３】
【発明の効果】
以上のように、本発明によれば、電子メールの送受信等を行うことのできる電子メールシステムにおいて、宛先のユーザに合わせ見やすく正確に情報を効果的に伝達できるという優れた効果があるものである。たとえば幼い子供を宛先とした場合には、差出人によって表示色を選択した後、受取人情報から幼い子供にあわせて、読み易いように、平仮名への変換や文字の大きさを大きくし、字体を変えるといった内容でテキストを編集して出力するといった処理を行うことによって見やすく正確に情報を伝達できるようになる。
【図面の簡単な説明】
【図１】本発明を実施した通信装置の接続を示すシステム構成図
【図２】本発明を実施した通信装置の内部構成図
【図３】本発明を実施した通信装置での実施例
【図４】本発明を実施した通信装置での電子メール受信処理時のフローチャート
【符号の説明】
１０１　コンピュータ
１０２　ファクシミリ
１０３　携帯電話
１０４　ファクシミリ
２０１　公衆通信網（公衆通信回線，通信回線）
２０２　回線インターフェイス
２０３　モデム
２０４　ＣＰＵ
２０５　ＲＡＭ
２０６　ＲＯＭ
２０７　テキスト編集部
２０８　音声出力部（スピーカ）
２０９　セントロニクスインターフェイス
２１０　カラープリンタ
２１１　液晶表示部
２１２　キー操作部
２１３　画像読取部
【図１】
2004139404.tif 000003
【図２】
2004139404.tif 000004
【図３】
2004139404.tif 000005
【図４】
2004139404.tif 000006